(57)【要約】【課題】      容器内に収納した釣り餌を押圧して釣り餌注出口から注出する釣り餌容器は使用している最中にノズルを着脱して交換すると容器本体内に収納した釣り餌が押し出されてこぼれ出てしまうこと。【解決手段】  釣り餌容器１は、内部に釣り餌の収納部Ｓを有する容器本体２とこの容器本体２に設けた釣り餌押し出孔４ｂとこの釣り餌押し出孔４ｂを開閉するキャップ５を有し、容器本体２の釣り餌の収納部Ｓには収納した釣り餌の押圧体１１を備え、釣り餌を釣り餌押し出孔４ｂに向けて押圧するようになっている。キャップ５には開口の径の大きさが異なる複数の釣り餌注出口５ｂ、５ｃが形成され、キャップ５を回動して釣り餌注出口を選択することができる。【選択図】        図１
2008237133.tif 000002
【特許請求の範囲】
【請求項１】
釣り餌押し出孔を有する容器本体と釣り餌の押圧体を有する釣り餌容器において、前記容器本体に大きさが異なる複数の釣り餌注出口を有するキャップを回動可能に取り付け、前記容器本体の釣り餌押し出孔と前記複数の釣り餌注出口を選択的に位置を合わせることができるようにしたことを特徴とする釣り餌容器。
【請求項２】
釣り餌押し出孔の周囲に該釣り餌押し出孔を囲む突状部を設けたことを特徴とする請求項１記載の釣り餌容器。
【発明の詳細な説明】
【技術分野】
【０００１】
本発明は、収納した釣り餌を押圧して釣り餌注出口から注出する釣り餌容器に関する。
【背景技術】
【０００２】
従来から釣りにおいて練り餌等の軟らかい餌を使用するときは、容器内に収納した釣り餌を押圧して釣り餌注出口から注出するポンプ状の釣り餌容器が使用されている。
これらの釣り餌容器は、容器本体内から必要な量の釣り餌を押し出し、押し出された釣り餌を釣り針に取り付けていた。
【０００３】
これらの釣り餌容器のうち特許文献１には、注出する釣り餌の量を調節できるように釣り餌注出口の大きさが異なる複数のノズル部材を着脱及び交換自在にした釣り餌押出器が紹介されている。
【０００４】
しかし、この釣り餌容器は、ノズルを外して交換しなければならないため、釣り餌容器を使用している最中にノズルを取り外すと釣り餌容器のノズルに通じる孔から容器内に収納した釣り餌が押し出されてこぼれ出てしまう虞がある。
【特許文献１】特開２００５−３０４３１３
【発明の開示】
【発明が解決しようとする課題】
【０００５】
解決しようとする課題は、容器本体内に収納した釣り餌を押圧して釣り餌注出口から注出する釣り餌容器は、使用している最中にノズルを着脱して交換すると容器本体内に収納した釣り餌が押し出されてこぼれ出てしまうことである。
【０００６】
本発明の目的は前記欠点に鑑み、容器内に収納した釣り餌を押圧して釣り餌注出口から注出する釣り餌容器にて、釣りえさがこぼれ出ることなく釣り餌注出口の大きさを容易に替えられる釣り餌容器を提供することである。
【課題を解決するための手段】
【０００７】
上記課題を解決するために、
請求項１に係わる本発明は、釣り餌押し出孔を有する容器本体と釣り餌の押圧体を有する釣り餌容器において、前記容器本体に大きさが異なる複数の釣り餌注出口を有するキャップを回動可能に取り付け、前記容器本体の釣り餌押し出孔と前記複数の釣り餌注出口を選択的に位置を合わせることができるようにしたことを要旨とするものである。
請求項２に係わる本発明は、釣り餌押し出孔の周囲に該釣り餌押し出孔を囲む突状部を設けたことを要旨とするものである。
【発明の効果】
【０００８】
本発明によると、釣り餌が容器からこぼれ出てしまうことを防止して釣り餌注出口の大きさを容易に替えられる釣り餌容器を提供することができる。
【発明を実施するための最良の形態】
【０００９】
以下、本発明の実施形態を図面に基づき説明すると、図１から図４は本発明の実施例で、図１は釣り餌容器の断面図、図２は大きな釣り餌注出口を開けた釣り餌容器の平面図、図３は小さな釣り餌注出口を開けた釣り餌容器の平面図、図４は釣り餌注出口を閉じた釣り餌容器の平面図である。
【００１０】
図１から図４のように、本発明の釣り餌容器１は、内部に釣り餌の収納部Ｓを有する容器本体２とこの容器本体２に設けた釣り餌押し出孔４ｂとこの釣り餌押し出孔４ｂを開閉するキャップ５を有し、容器本体２の釣り餌の収納部Ｓには収納した釣り餌の押圧体１１を備え、釣り餌を釣り餌押し出孔４ｂに向けて押圧するようになっている。
【００１１】
容器本体２は、内部が収納部Ｓとなる透光性を有する合成樹脂で形成した筒状の胴部３とこの胴部３の上下の開口を閉塞するように螺合して取り付けた金属や合成樹脂で形成した上蓋４と底蓋７を有している。
胴部３は、透光性を有することで収納した釣り餌の状態が胴部３を通して外側から視認できるようになっている。
【００１２】
容器本体２の上蓋４は上面側の中央に円筒状の支持台４ａが突設され、この支持台４ａの上面から収納部Ｓに貫通する釣り餌押し出孔４ｂを有している。
支持台４ａの上方側にはキャップ５が取り付けられ、このキャップ５は支持台４ａにキャップ５の裏側に形成した凹状の受け部５ａが支持台４ａを中心に矢印のように周方向に回動可能に嵌合して支持されている。
【００１３】
円筒状の支持台４ａの周面には、周方向に連設された凸部４ｃが設けられ、支持台４ａにキャップ５を嵌合したときに、この凸部４ｃにキャップ５の裏側の凹状の受け部５ａの内周面に沿って周方向に形成した凹部４ｃが係合し、キャップ５が上蓋４の支持台４ａに周方向に回動可能に嵌合され、キャップ５が抜け止めされる。
【００１４】
キャップ５にはその上面と裏側の受け部５ａ側の上下方向に開口の径の大きさが異なる複数の釣り餌注出口５ｂ、５ｃが形成され、この実施例においては、大小２個の断面円形の釣り餌注出口が互いに間隔を開けて形成されている。
なお、さらに多くの釣り餌注出口を形成してもよい。
【００１５】
図１、図２において、キャップ５の大きい釣り餌注出口５ｂが容器本体２の上蓋４の釣り餌押し出孔４ｂと位置が一致し、長手方向に連通した状態となっているが、キャップ５を周方向に回動することで、図３のように小さい釣り餌注出口５ｃが釣り餌押し出孔４ｂと位置が一致するようにすることができる。
さらにキャップ５を周方向に回動することで、図４のように大きい釣り餌注出口５ｂおよび小さい釣り餌注出口５ｃ共に釣り餌押し出孔４ｂと位置が一致せず、釣り餌押し出孔４ｂの上蓋４の上面側開口の上をキャップ５の裏面側の凹状の受け部５ａの壁面が覆った状態にして釣り餌押し出孔４ｂを閉塞することもできる。
【００１６】
容器本体２の上蓋４の上面に、釣り餌押し出孔４ｂの周囲を囲むようにゴム又は合成樹脂で形成された環状体からなるパッキン部材６が取り付けられ、このパッキン部材６が容器本体２に設けた釣り餌押し出孔４ｂの周囲を囲む環状の突状部となっている。
このパッキン部材（突状部）６が容器本体２の上蓋４の上面とこれと対向するキャップ５の裏面側の凹状の受け部５ａの壁面に当接し、釣り餌押し出孔４ｂを通して容器本体２の収納部Ｓから出てきた釣り餌は環状体からなるパッキン部材６に囲まれた領域から外に出てしまうことが防止される。
【００１７】
胴部３の下方に取り付けた底蓋７の中央に収納部Ｓの中央の上下方向（長手方向）に螺子部を有する支持桿８が貫通し、回動可能に支持されている。
この支持桿８は、底蓋７に当接するストッパ１２が底蓋７の上下両側に取り付けられてその上下の移動が防止されている。
容器本体２の収納部Ｓにて、支持桿８に、円盤状の釣り餌の押圧体１１が上下移動可能に螺合されて保持されている。
【００１８】
支持桿８は底蓋７の外方にて屈曲してハンドル部９を形成し、その先端側に回動可能にハンドル摘み１０が取り付けられている。
ハンドル部９の回動で容器本体２の収納部Ｓ内に突出した支持桿８はその長手方向に沿って螺子部を有しているため、これに螺合した釣り餌の押圧体１１は支持桿８が回動すると支持桿８に沿って図１の２点鎖線で示すように移動し釣り餌を押圧し、釣り餌押し出孔４ｂから釣り餌を押し出すことができるようになっている。
【００１９】
釣り餌の押圧体１１は容器本体２の収納部Ｓの円形の断面形状に合致する形状の板体であり、その外周に沿ってゴム、合成樹脂からなるパッキン１１ａを有し容器本体２の胴部３の内面に沿って摺動し、収納部Ｓ内の釣り餌を胴部３の内面からこすり取りながら釣り餌が残らないように釣り餌押し出孔４ｂ側へ押圧する。
【００２０】
この釣り餌容器１を使用するときは、上蓋４または底蓋７を胴部３から取り外して、収納部Ｓ内に練り餌等の釣り餌を収納し、上蓋４または底蓋７を取り付けて釣り餌の押圧体１１、支持桿８を図１のように所定の位置に配した後に、ハンドル摘み１０を摘んでハンドル９を回動し、釣り餌の押圧体１１を釣り餌押し出孔４ｂ（上方）に向けて移動させる。
この釣り餌の押圧体１１の移動にともなって収納部Ｓ内の釣り餌が釣り餌押し出孔４ｂ方向へ押圧されて移動する。
【００２１】
図１、図２の状態で釣り餌押し出孔４ｂと通じるキャップ５の大きい釣り餌注出口５ｂからその径に合致した太さ（大きさ）の大きい釣り餌が押し出される。
また、キャップ５を回動して図３のように釣り餌注出口５ｂより小さい径の釣り餌注出口５ｃを釣り餌押し出孔４ｂと通じるようにすると釣り餌注出口５ｃからこれに合致した小さい径の釣り餌が注出される。
【００２２】
注出された練り餌は、釣り餌注出口５ｂ、釣り餌注出口５ｃから外に押し出されたものを釣り針に絡め付けてもよいし、釣り餌注出口５ｂ、釣り餌注出口５ｃによって絞られてうどん状に連続した状態で取り出し、これを適当な長さに切って釣り針に付けて使用してもよい。
【００２３】
使用する餌の状態や釣りをする魚によってキャップ５を回動して釣り餌の注出口を径の大きい釣り餌注出口５ｂと径の小さい釣り餌注出口５ｃを選択することができる。
また、図４のようにキャップ５で釣り餌押し出孔４ｂを閉塞すると餌の注出を止めることができる。
【００２４】
さらに、収納部Ｓ内の釣り餌が釣り餌押し出孔４ｂ方向へ押圧された状態においてもキャップ５を回動して釣り餌の注出口を釣り餌注出口５ｂから釣り餌注出口５ｃに変更しても、容器本体２の上蓋４の上面に釣り餌押し出孔４ｂの周囲を囲むようにゴム又は合成樹脂で形成された環状体からなるパッキン部材６が取り付けられ、釣り餌押し出孔４ｂを通して容器本体２の収納部Ｓから出てきた釣り餌は環状体からなるパッキン部材６に囲まれた領域から外方に出てしまうことが防止されるため、釣り餌が釣り餌容器１から外側に漏れることが防止される。
【００２５】
本願の実施例では、釣り餌の押圧体１１を螺子部を有する支持桿８で支持し、ハンドル９の回動で容器本体２の収納部Ｓ内を移動させて釣り餌を押圧するようにしたが、ハンドル９が回動する以外にレバーを用いて釣り餌の押圧体１１を動かしたり、釣り餌の押圧体１１を直接手で押して移動させることができるようにするなど他の構造を用いてもよい。
【産業上の利用可能性】
【００２６】
本発明は、釣り餌容器全般に利用できる。
【図面の簡単な説明】
【００２７】
【図１】図１は、釣り餌容器の断面図である。
【図２】図２は、同大きな釣り餌注出口を開けた釣り餌容器の平面図である。
【図３】図３は、同小さな釣り餌注出口を開けた釣り餌容器の平面図である。
【図４】図４は、同釣り餌注出口を閉じた釣り餌容器の平面図である。
【符号の説明】
【００２８】
１    釣り餌容器
２    容器本体
４ｂ  釣り餌押し出孔
５    キャップ
５ｂ、５ｃ  釣り餌注出口
６    パッキン部材
８    支持桿
１１  釣り餌の押圧体
【図１】
2008237133.tif 000003
【図２】
2008237133.tif 000004
【図３】
2008237133.tif 000005
【図４】
2008237133.tif 000006